(57)【要約】【課題】軽量でありながら、使用者が容易に腰掛けて使用可能な緊急時用の簡易トイレの提供を目的とする。【解決手段】段ボール製組み立て式簡易トイレ１は、直方体に組み立てられた段ボールケース２の長辺側若しくは短辺側の一対のフラップ３を内方に折り込んで水平部４と垂直部５とを形成し、水平部４の水平姿勢を支える支持部材６を段ボールケース２の内方に立設し、垂直部５同士間の空間部分に汚物受け具１１の支持台７を設けるとともに、前記支持部材６および支持台７を段ボールで折り畳んで段ボールケース２に収納可能に構成にしてある。【選択図】図２
2009000425.tif 000002
【特許請求の範囲】
【請求項１】
直方体に組み立てられた段ボールケースの長辺側若しくは短辺側の一対のフラップを内方に折り込んで水平部と垂直部とを形成し、水平部の水平姿勢を支える支持部材を段ボールケースの内方に立設し、垂直部同士間の空間部分に汚物受け具の支持台を設けるとともに、前記支持部材および支持台を段ボールで折り畳んで段ボールケースに収納可能に構成したことを特徴とする段ボール製組み立て式簡易トイレ。
【請求項２】
汚物受け具が、防水性シートとそのほぼ中央部に折り畳み可能な受け台と、当該受け台に保持される吸水性部材とからなり、受け台を折り畳み、防水性シートで包装して支持部材および支持台とともに段ボールケース内に収納可能に構成したことを特徴とする請求項１に記載の段ボール製組み立て式簡易トイレ。
【発明の詳細な説明】
【技術分野】
【０００１】
本発明は、段ボール製組み立て式簡易トイレに関するものである。
【背景技術】
【０００２】
災害発生後の緊急時に断水などでトイレの使用ができなくなった避難所等では、多くの被災者が用を足せなくなり、困難を強いられることとなる。
そこで、緊急時に使用する簡易トイレとして、下記特許文献１には、開口部とフタを有した防水性のある箱状の本体内に、水分吸収材を設置した構造の簡易トイレが開示されている。
【０００３】
また、下記特許文献２には防災用品を収納し備蓄しておく収納容器を、緊急時に簡易トイレの便器として使用できるよう収納容器の上面部の一部分にのみ開口を形成し、開口に汚物袋を取り付け、使用者は収納容器上面の開口の形成されていない部分に腰掛けることができる簡易トイレに関する技術が開示されている。
【０００４】
更に、下記特許文献３には、椅子に便座を取り付け、前記便座に被せられた蓋体の上に腰掛けることができ、普段は通常の椅子として使用することができるとともに、緊急時には迅速に簡易トイレとして使用可能な簡易トイレに関する技術が開示されている。
【０００５】
【特許文献１】特開２００６−５１２９４号公報
【０００６】
【特許文献２】特開２００５−１９２７１０号公報
【０００７】
【特許文献３】特開２００６−２０６６０号公報
【発明の開示】
【発明が解決しようとする課題】
【０００８】
しかしながら、上記特許文献１，２に記載されている簡易トイレは、使用者が腰掛ける座面が狭く、非常に使い辛いものであった。
また、特許文献３に記載の簡易トイレは、重量があり、被災地等の緊急時所定の場所に輸送したり、搬送したりするのが困難であるという問題があった。
【０００９】
本発明は、上記した従来の問題点に鑑みてなされたものであって、軽量でありながら、使用者が容易に腰掛けて使用可能な緊急時用の簡易トイレの提供を目的とする。
【課題を解決するための手段】
【００１０】
上記目的を達成するために、本発明に係る段ボール製組み立て式簡易トイレは、直方体に組み立てられた段ボールケースの長辺側若しくは短辺側の一対のフラップを内方に折り込んで水平部と垂直部とを形成し、水平部の水平姿勢を支える支持部材を段ボールケースの内方に立設し、垂直部同士間の空間部分に汚物受け具の支持台を設けるとともに、前記支持部材および支持台を段ボールで折り畳んで段ボールケースに収納可能に構成にしてある。
【００１１】
また、前記構成において、汚物受け具が、防水性シートとそのほぼ中央部に折り畳み可能な受け台と、当該受け台に保持される吸水性部材とからなり、受け台を折り畳み、防水性シートで包装して支持部材および支持台とともに段ボールケース内に収納可能としたものである。
【発明の効果】
【００１２】
本発明に係る段ボール製組み立て式簡易トイレによれば、直方体に組み立てられた段ボールケースの長辺側若しくは短辺側の一対のフラップを内方に折り込んで水平部と垂直部とを形成し、水平部の水平姿勢を支える支持部材を段ボールケースの内方に立設し、垂直部同士間の空間部分に汚物受け具の支持台を設けるとともに、前記支持部材および支持台を段ボールで折り畳んで段ボールケースに収納可能に構成したので、緊急時、段ボール製組み立て式簡易トイレを容易に組み立てて使用することができ、本簡易トイレは段ボール製なので非常に軽量であり、被災地等への輸送・搬送・移送に至便なものにすることができる利点がある。
また、水平部は垂直部および支持部材により支持されているので、使用者は軽量でありながら、この丈夫な水平部に腰掛けて使用することができる。
【００１３】
さらに、汚物受け具が、防水性シートとそのほぼ中央部に折り畳み可能な受け台と、当該受け台に保持される吸水性部材とからなり、受け台を折り畳み、防水性シートで包装して支持部材および支持台とともに段ボールケース内に収納可能に構成した場合は、受け台に保持された吸水性部材を所定の高さ位置に維持することができ、汚物を容易に吸水性部材内部に収容させることができ、被災地等への輸送・搬送・移送に使用した段ボールケースも無駄なく使用でき、被災地等で発生する塵芥を減少させることができる利点もある。
【発明を実施するための最良の形態】
【００１４】
本発明の最良の実施形態を図面に基づいて説明する。
図１は本発明の一実施形態に係る段ボール製組み立て式簡易トイレ１の組み立て前の外観斜視図、図２は前記段ボール製組み立て式簡易トイレ１の段ボールケース２内に収容される部品を示す斜視図である。
図において、この実施形態に係る段ボール製組み立て式簡易トイレ１は、直方体に組み立てられた段ボールケース２内に、段ボール製組み立て式簡易トイレ１の組み立てに必要な支持部材６、支持台７及び汚物受け具１１が折り畳まれた状態で収容されてなる。
【００１５】
段ボールケース２は、組み立てられた状態で直方体状を有し、本段ボール製組み立て式簡易トイレ１の使用者が跨って腰掛けることが可能な程度の大きさになっている。
段ボールケース２の長辺側の一対のフラップ３は、それぞれ段ボールケース２上面と略同じ大きさを有し、左右両端部から３分の２程度の位置に折り目１２が形成されている。
折り目１２からフラップ３の自由端までの長さＩは、段ボールケース２の高さＨに略等しくなっており、折り目１２においてフラップ３を段ボールケース２の内方に折り込んで水平部４と垂直部５とを形成するようになっている。
【００１６】
支持部材６は、被災地等への輸送・搬送・移送時には図２に示すように扁平に折り畳まれ、段ボールケース２内に収容されている。
支持部材６を展開すると、長手方向両端部近傍に短辺に平行にそれぞれ２箇所ずつ折り目６ａが形成されており、展開した状態における長手方向中央部に現れる平面部は段ボールケース２の長辺側側面である左右両側面と略同じ大きさ若しくはわずかに小さく形成されている。
図５に示すように、組み立ての際に支持部材６は、折り目６ａで所定角度折り畳まれ、平面視C字状とされ、段ボールケース２の長辺側両側面近傍に立設して収容される。
その後フラップ３が段ボールケース２内に折り込まれた際、水平部４の水平姿勢を支えるようになっている。
【００１７】
支持台７は、側面視略矩形状に折り畳まれた状態で段ボールケース２内に収容され、組み立てた際に上蓋及び底板となるフラップ７ａ，７ｂが上下に形成されている。
図３は上記支持台７を組み立てた状態の斜視図を示しており、支持台７を組み立てた際には直方体状となる。
支持台７の前後の短辺側の長さＫは段ボールケース２の短辺側の長さＪの３分の１程度であり、高さＬは段ボールケース２の高さＨの３分の１程度である。
また、支持台７は、図７に示すように、垂直部５同士間の空間部分１３に収容可能な大きさとなっており、この支持台７の上面に汚物受け具１１が載置される。
【００１８】
上記汚物受け具１１は、防水性シート９、受け台８及び吸水性部材１０とからなる。
防水性シート９は段ボールケース２の上面を覆おうことが可能な大きさであれば、その形状は特に限定されず、例えば、矩形状、正方形状、円形状、楕円形状のいずれであってもよい。
防水性シート９を段ボールケース２上面に被せることで、段ボールケース２、支持部材６及び支持台７に水分が付着することによる強度の低下を防止する。
【００１９】
受け台８は、その被災地等への輸送・搬送・移送時には展開した状態で段ボールケース２内に収容されており、展開時の形状は図２に示すように底面となる長方形の中央部の周囲に周辺に側板部８ａ，８ｂと、この側板部８ａ，８ｂから更に上面部８ｃを形成してあり、前記底面の周辺に連設された側板部８ａ，８ｂを立設させた後、左右側板部８ａに連設した上面部８ｃを折り畳んで組み立てる。
組み立てられた受け台８は、支持台７と略同じ大きさで、上面部８ｃがやや凹んだ略直方体形状を有する。
【００２０】
吸水性部材１０は、例えば３つに折り畳まれて嵩張らない状態で段ボールケース２内に収容され、シート状の外袋１０ａの略中央部に紙、不織布、スポンジ、綿花、あるいは高分子吸収剤等の水分吸収剤１０ｂが収納された構造を有する（図１０参照）。
これらのうち、水分吸収剤のうち、吸水性が高く形成が容易な点で、高分子吸収剤が特に好ましい。
【００２１】
引続き、段ボール製組み立て式簡易トイレの組立て手順につき、以下に説明する。
まず、上記の段ボール製組み立て式簡易トイレのセットが被災地等への輸送・搬送・移送されると、図１に示すように段ボールケース２から支持部材６、支持台７及び汚物受け具１１を取り出す。
次に、一対の支持部材６を折り目６ａで折り、図５に示すように、段ボールケース２の長辺側両側面に沿うようそれぞれ収容し、水平部４の水平姿勢を支えるように立設させる。
【００２２】
そして、図６に示すように、一対のフラップ３を段ボールケース２の内方に折り込んで水平部４と垂直部５とを形成し、続いて、支持台７を直方体状に折り畳み、図７に示すように、垂直部５同士間の空間部分１３に収容する。
【００２３】
更に、図８に示すように防水性シート９を広げ、支持部材６及び支持台７を内部に収容して組み立てた段ボールケース２の上面に被せ、支持台７上方の空間部分１３に相当する位置を凹ませ、図９に示すように、この防水性シート９の凹みに受け台８を収容したのち、図１０に示すように、受け台８の上面に吸水性部材１０を載置する。
【００２４】
以上で段ボール製組み立て式簡易トイレ１の組み立てが完了する。
続いて、使用時の動作を説明する。段ボール製組み立て式簡易トイレ１を使用する際には、図１１に示すように、使用者が組み立て完了した段ボール製組み立て式簡易トイレ１の上面に跨り、吸水性部材１０に小用又は大便の汚物が収容できるよう用を足す。
使用後は、収容した汚物を吸水性部材１０で包み、廃棄する。
【００２５】
以上より、段ボール製組み立て式簡易トイレ１は、支持部材６、支持台７および汚物受け具１１を折り畳んで段ボールケース２に収納したので、災害等の発生時、断水によりトイレが使用できなくなった場合に、予め備蓄しておいたこの段ボール製組み立て式簡易トイレ１を容易に組み立てて使用することができる。
また、この段ボール製組み立て式簡易トイレ１は、吸水性部材１０を取り替えれば、他の部材を交換することなしにそのまま複数回使用することができ、経済的である。
【００２６】
そして、直方体に組み立てられた段ボールケース２の長辺側の一対のフラップ３を内方に折り込んで水平部４と垂直部５とを形成するとともに、水平部４の水平姿勢を支える支持部材６を段ボールケースの内方に立設したので、段ボールケース２の強度が向上し、使用者が段ボールケース２に腰を下しても、潰れるといったことがなく、快適に利用できる。
【００２７】
更に、垂直部５同士間の空間部分１３に汚物受け具１１の支持台７を設け、また、支持台の上方に防水性シート９を介して受け台を設置し、受け台８の上面に吸水性部材１０を保持させたので、吸水性部材１０を所定の高さ位置に維持されることができ、汚物を吸水性部材１０内部に収容させることが容易となる。
また、受け台８の上面がやや凹んでいるので、吸水性部材１０を保持することが容易である。
【００２８】
尚、上記の実施形態では、段ボールケース２の長辺側の一対のフラップ３を内方に折り込んで水平部４と垂直部５とを形成したが、本発明に係る段ボールケースはこれに限定されず、短辺側の一対のフラップを内方に折り込んで水平部と垂直部とを形成してもよい。
また、支持台７及び受け台８は略直方体状に組み立てられ、空間部分に収容するよう構成したが、本発明の支持台及び受け台はこれに限定されず、空間部分に収容し、吸水性部材を所定高さ位置に維持することが可能であれば、角筒状、円筒状などであってもよい。
特に直方体状の場合には、段ボール製組み立て式簡易トイレの強度が向上し、好ましい。
また、支持台７は上下のフラップ７ａ，７ｂを折り畳んで直方体状とするよう構成したが、それに限定されるものでなく、例えば受け台８のように展開した状態が略十文字のものを折り畳み使用してもよい。
また、受け台８は、底面となる長方形の中央部の周囲に周辺に側板部８ａ，８ｂと、この側板部８ａ，８ｂから更に上面部８ｃを形成するようにしてあるが、支持台７の構造のように上下のフラップを折り畳んで直方体状となるよう構成してもよい。
【図面の簡単な説明】
【００２９】
【図１】本発明の一実施形態に係る段ボール製組み立て式簡易トイレ１の組み立て前の外観斜視図である。
【図２】前記段ボール製組み立て式簡易トイレの段ボールケース内に収容される部品を示す斜視図である。
【図３】前記段ボール製組み立て式簡易トイレの支持台を組み立てた状態の斜視図である。
【図４】前記段ボール製組み立て式簡易トイレの受け台を組み立てた状態の斜視図である。
【図５】前記段ボール製組み立て式簡易トイレを組み立て工程の斜視図である。
【図６】前記段ボール製組み立て式簡易トイレを組み立て工程の斜視図である。
【図７】前記段ボール製組み立て式簡易トイレを組み立て工程の平面図である。
【図８】前記段ボール製組み立て式簡易トイレを組み立て工程の平面図である。
【図９】前記段ボール製組み立て式簡易トイレを組み立て工程の平面図である。
【図１０】前記段ボール製組み立て式簡易トイレを組み立て工程の平面図である。
【図１１】前記段ボール製組み立て式簡易トイレの使用状態を示す斜視図である。
【符号の説明】
【００３０】
１    段ボール製組み立て式簡易トイレ
２    段ボールケース
３    フラップ
４    水平部
５    垂直部
６    支持部材
７    支持台
８    受け台
９    防水性シート
１０  吸水性部材
１１  汚物受け具
１３  空間部分
【図１】
2009000425.tif 000003
【図２】
2009000425.tif 000004
【図３】
2009000425.tif 000005
【図４】
2009000425.tif 000006
【図５】
2009000425.tif 000007
【図６】
2009000425.tif 000008
【図７】
2009000425.tif 000009
【図８】
2009000425.tif 000010
【図９】
2009000425.tif 000011
【図１０】
2009000425.tif 000012
【図１１】
2009000425.tif 000013